(57)【要約】【課題】  関心のある対象についての情報を更新する方法を開示する。【解決手段】  独特な信号を関心のある対象１０に割り当て、該信号を対象１０に物理的に関連させ、前記独特な信号を識別し、前記独特な信号を割り当てられた前記関心のある対象に関係する情報を表示する。本方法は好ましくは、病院の設定において使用され、患者に関係する情報を表示し、実行すべき検査を患者に関連付ける。さらに、安全対策を採用することができる。独特な信号は無線周波信号であるのが好ましく、また受動性信号であるのが好ましい。【選択図】        図１
2004178599.tif 000002
【特許請求の範囲】
【請求項１】
関心のある対象についての情報をユーザに対して表示する方法であって、
独特な信号を関心のある対象に割り当てて、該信号を前記関心のある対象に物理的に関連させる工程（１００）と、
検出器の近辺にある前記独特な信号を識別する工程（１０４）と、
識別している前記独特な信号に応答して、前記独特な信号を割り当てられた前記関心のある対象を表す情報を表示する工程（１１０）と、
を有する方法。
【請求項２】
更に、複数の関心のある対象に独特な信号を割り当てる工程（１００）と、
前記検出器の近辺にある複数の独特な信号を識別する工程（１０４）と、
識別された独特な信号に対応する選択肢のリストを作成する工程と、
１つ以上の前記選択肢を選択する工程（１０８）と、
選択された選択肢を表す情報を表示する工程（１１０）と、
を含んでいる請求項１記載の方法。
【請求項３】
独特な信号を関連させた関心のある対象に関係する情報を表示する携帯型装置（１６）であって、
ユーザ作動の刺激（２２及び３０）に応答して制御信号を発生する制御論理装置と、
前記独特な信号が近辺にある時に前記独特な信号を検出することのできる無線信号検出ユニット（２０）と、
前記制御信号に応答して、前記無線信号検出ユニットによって検出された信号に関連した情報を表示するディスプレイ・ユニット（１８）と、
を有する携帯型装置。
【請求項４】
前記制御論理装置はユーザ作動の入力装置（２２）によって催促される請求項３記載の携帯型装置。
【請求項５】
検出装置（１６）と少なくとも１つの情報装置（１２）とを有していて、関心のある対象に関係する情報を表示するシステムであって、
前記検出装置（１６）は、独特な信号を検出する手段（２０）と、外部の刺激（２２及び３０）に応答して制御信号を発生する制御部と、前記制御信号に応答して情報を表示する手段（２０）とを有し、
識別装置（１２）が、無線信号検出装置（１６）によって検出することのできる独特な信号を、該識別装置に関連して有していること、
を特徴とするシステム。
【発明の詳細な説明】
【技術分野】
【０００１】
本発明は一般的に云えば無線技術を使用して関心のある対象を識別することに関する。
【背景技術】
【０００２】
今日、病院内で患者を識別するのにＩＤタグを使用しており、これらのＩＤタグは患者を識別するために人又は機械に見えるものでなければならない。このようなシステムは、患者を覚醒させたり操作したりすることに関係しうる。可視的関係を必要とせずに患者を識別することのできるシステムが望ましい。
【０００３】
また、多くの患者識別システムでは、（患者の名前や識別番号のような）潜在的に重要な患者情報を、誰でも見ることのできるような目につく場所に置いている。人によってはこのように表示された情報を不正使用することがある。重要な患者情報を目につく場所に置くことなく患者を識別するシステムもまた望ましい。
【０００４】
更に、今日では、医師は、患者に関して扱う必要のあるデータにアクセスするために、紙のカルテを持ち運ぶか又は様々なコンピュータの前に座る必要がある。イントラネット、更にはインターネットが広く使用されるにつれ、今ではこのデータの全てにアクセスし得る単一のワークステーションを設けることが可能である。カレント（現状）のシステムは、医師又は他の病院職員が患者情報に素早く簡便にアクセスできるほどには有効でもなく使い勝手も良くない。ユーザが単一の装置で複数個のデータに無線によりアクセスできるようにする情報システムが好ましい。更に、患者情報へのアクセスをより簡便にする装置が必要とされる。
【０００５】
また、多くの政府機関は医療記録の秘密保持を定める一層厳しい法令を定めつつある。これらの法律の多くの一部は、職員の中に患者の治療に携わらない者がいるような病院での職員よるアクセスを含めて、患者記録へのアクセスを規制している。そこで、患者記録へのアクセスを規制して無許可の者がこれらの記録を見ることが出来ないようにする患者記録表示システムを設けることができれば、それは望ましいことである。
【０００６】
更に、典型的な記録表示システムは、情報を見るどの人に対しても同じ態様でデータを構成している。これはユーザによっては使い易くないことがある。というのは、彼等が最も関心のある情報が記録の中に埋もれているか、或いはそれらの情報が記録の複数の区域に分割されていてユーザがそれらの区域の間で切り替えなければならないからである。ユーザにとって最も価値のある情報にユーザがアクセスできるようにするシステムがあれば、それは効率及びワークフローを増大させるのに有用であろう。
【０００７】
更にまた、ユーザにとって異なる時間には異なる情報がより適切であることがある。医師が患者に検査を受けさせた場合、医師の関心は主に検査結果、並びに該検査結果に関係する他の情報及び検査を行う理由であると考えられる。従って、その時に最も重要であることに応じた情報を区別をつけて表示するシステムが望ましい。
【発明の開示】
【課題を解決するための手段】
【０００８】
本発明の一実施形態では、ヘルスケア患者を識別する方法を対象とする。本方法は、患者に独特な（ユニークな）信号を割り当てる工程と、前記患者に割り当てられた前記独特な信号を無線により識別する工程と、前記独特な信号の識別を使用する工程とを有する。普通の使用法は、患者に関係する情報を表示し、実行すべき検査を患者に関連させることを含む。
【０００９】
別の実施形態では、関心のある対象についての情報を更新する方法を対象とする。本方法は、独特な信号を関心のある対象に割り当てて、該信号を関心のある対象に物理的に関連させる工程と、前記独特な信号を識別する工程と、前記独特な信号の識別後に直ちに、前記独特な信号を割り当てられた前記関心のある対象を表す情報を表示する工程とを有する。
【００１０】
別の方法は、患者についての情報をヘルスケア・ワーカーに供給することを対象とする。本方法は、患者に関連した少なくとも１つの独特な信号を無線により識別する工程と、前記信号の識別に基づいて患者に関係する情報を表示する工程とを有する。
【００１１】
別の実施形態では、ヘルスケア患者を識別する方法を対象とする。本方法は、患者に独特な（ユニークな）識別子を割り当てる工程と、前記患者に割り当てられた前記独特な識別子を無線により且つ電子的に識別する工程と、前記独特な識別子の識別を使用する工程とを有する。前記独特な識別子を無線により且つ電子的に識別する工程は、好ましくは、独特な信号を識別することを含む。独特な信号は無線周波信号であることが好ましい。
【００１２】
別の実施形態では、独特な信号を関連させた関心のある対象に関する情報を表示する携帯型装置を対象とする。本携帯型装置は、ユーザ作動の刺激に応答して制御信号を発生する制御論理装置と、前記独特な信号を検出することのできる無線信号検出ユニットと、制御信号に応答して情報を表示することのできるディスプレイ・ユニットとを有し、表示される情報は、無線信号検出ユニットによって検出された信号に依存する。
【００１３】
別の実施形態では、関心のある対象に関する情報を表示するシステムを対象とし、本システムは検出装置と少なくとも１つの情報装置とを有する。検出装置は、独特な信号を検出する部分と、外部の刺激に応答して制御信号を発生する制御部と、制御信号に応答して情報を表示する部分とを有する。情報装置は、無線信号検出装置によって検出することのできる独特な信号に関連させてある。
【００１４】
別の実施形態では、ヘルスケア施設内のヘルスケア患者を識別するシステムを提供する。本システムは、独特な信号を生成する識別装置と、該独特な信号を検出することのできる無線信号検出ユニットと、前記独特な信号を患者に割り当てる割り当てユニットとを有する。独特な信号は無線周波信号であるのが好ましく、また受動性信号であるのが好ましい。
【００１５】
別の実施形態では、ヘルスケア施設内のヘルスケア患者を識別するシステムを提供する。本システムは、独特な信号を生成する識別装置、及び該独特な信号を検出することのできる無線信号検出ユニットを有する。本システムはまた、独特な信号を患者に割り当てる割り当てユニットも有する。この割り当てユニットは、好ましくは、患者を識別するためにヘルスケア施設によって使用される何らかの他の患者識別子を独特な信号に関連させることによって、独特な信号を患者に関連させるようにするソフトウエアを備えたコンピュータである。
【００１６】
更に別の実施形態では、関心のある対象に物理的に関連した信号を検出する無線信号検出装置に使用するための制御プログラムを対象とする。本制御プログラムは、ユーザに応答して、信号に関連した情報が表示されるべきであることを表す制御機能を有する。本制御プログラムはまた、関心のある対象に関連した信号を識別すると共に、信号が関心のある対象に関連していることを識別する識別機能も有する。その上、本制御プログラムは、識別機能に応答して情報を表示する表示機能を有する。
【発明を実施するための最良の形態】
【００１７】
図１には、本発明の好ましい一実施形態によるシステムを示す。図１は、関心のある対象１０に物理的に関連した識別装置１２を示している。図１はまた、情報供給装置１４及び観察装置１６も示している。観察装置１６は無線検出ユニット２０、ディスプレイ１８、及びユーザ入力装置２２を有している。
【００１８】
関心のある対象１０は識別装置１２と物理的に関連している。識別装置１２は、関心のある対象１０を識別するために使用することのできる独特な識別信号を含んでいる。図１は、識別装置１２を患者（１０）の手首の周りに装着されたリストバンドとして示している。識別装置１２は、多数の他の態様で関心のある対象１０に物理的に関連させることも可能である。例えば、識別装置１２は患者１０のベッド又は患者１０の部屋に結合させることができる。また、識別装置１２はクレート又は車両に接着により接続することができる。上記の例の各々において、識別装置は関心のある対象１０に又はその近くに配置される。
【００１９】
識別装置の独特な信号が、割り当てユニットによって関心のある対象に割り当てられる。好ましくは、割り当てユニットは、独特な信号を入力して該信号を関心のある対象に割り当てるソフトウエア・プログラムである。これは、プログラムで患者記録を表示させながら検出器で識別装置を走査（スキャン）させることによって行うことができる。そこで、プログラムはどの信号をどの関心のある対象１０に割り当てるかが分かる。その信号は、患者を識別するためにヘルスケア施設によって既に使用されている患者識別子に独特な信号を割り当てることによって、関心のある対象に割り当てられよう。
【００２０】
ユーザが、ボタン、スイッチ、トリガなどのユーザ入力装置２２を作動する。ユーザ入力装置２２の作動に応答して、制御論理装置が情報の表示に役立つ制御信号を送り出す。制御信号は、好ましくは、識別装置１２によってブロードキャストされた独特な信号を検出するように無線検出ユニット２０に催促する。制御信号は、この代わりに、検出された信号の識別を催促するか、或いは識別された信号を表示するように催促してもよい。制御論理装置はまた、自動化信号のような他の刺激によって催促することもできるが、ユーザ作動の刺激によって催促するのが好ましい。ユーザ作動の刺激の例としては、ユーザによってボタン／スイッチを押すこと、ユーザによって（例えば、スクリーン上で）制御オプションを選択すること、表示スクリーンの接触検知領域を作動すること、或いは制御論理を催促することを意図したユーザによる任意の他の作用が挙げられる。
【００２１】
無線検出ユニット２０は、無線検出ユニット２０の近辺にある識別信号を検出する。検出された識別信号は次いで識別される。識別信号は、観察装置１６内で識別するか、或いは情報供給装置１４を介して中央ネットワークへ送り、そこで識別を行って、その結果を観察装置１６へ送り返すようにしてもよい。
【００２２】
次いで、識別された信号に関連した関心のある対象１０に関係する情報の表示を促進する。情報は、ディスプレイ１８上に現れるか、別のユーザ制御後に現れる（例えば、医師が選択する患者の名前がスクリーン上に現れる）ようにしてもよい。好ましくは、唯一つの関心のある対象１０が識別された場合は情報を表示し、また２つ以上の関心のある対象１０が識別された場合は可能性のある関心のある対象１０のリストを識別する。
【００２３】
更に好ましくは、観察装置１６は特定のユーザに（すなわち、パスワードを入力することにより、又は観察装置１６を特定のユーザに割り当てることにより）関連させることができる。観察装置１６を特定のユーザに関連させたとき、該ユーザに関連した関心のある対象１０のみがディスプレイ１８上に表示される。病院の設定では、これは、患者記録に対するアクセスをより厳密に規制することによって、患者の秘密性をより高めさせることができる。患者に関連した病院職員のみが患者記録にアクセスし得ることになる。更に、ユーザのアクセスは、ユーザが患者を治療するために必要とする情報のみに制限して、他の情報にはアクセスされないようにすることができる。また、ユーザに表示すべき情報は、ユーザが誰であるか及び／又はユーザの職務権限に基づいて規制することもできる。
【００２４】
このオプションによる観察を制限する機能は、連邦、州、地方又はその他の司法当局によって制定された医療秘密保持法を遵守するのを容易にする。この技術自体は、ヘルスケア施設が秘密情報へのアクセスを制限するのに役立てることができる。例えば、ヘルスケア施設は、患者記録へのアクセスを限定された個人にのみ許可することによって治療に対する限定した同意を与えただけの患者の追跡を継続することができる。更に、同意されなかった行為を行える立場にあるヘルスケア・ワーカーは記録を見たときに赤旗（警告）を受けることがあるが、何ら関わりのないワーカーには自由なアクセスが許可されることがある。
【００２５】
データへのアクセスを人物毎に、チーム毎に、部門毎にと云う風に多数の他の態様で規制することができる。情報はまた、望ましいと思われる多数の他の態様で規制してもよい。
【００２６】
情報の表示は、典型的には、識別されている信号に応答して独特な信号が識別された後直ちに行われる。独特な信号の識別と関心のある対象１０に関係する情報の表示との間に他の工程（例えば、更なるユーザ入力、記録の検索など）を実行してもよい。観察装置１６は通常比較的素早く、例えば、１分以内に情報を表示するが、検索するデータベースの大きさ及び装置の速度に依存して余分な時間が必要とされることがある。
【００２７】
観察装置１６を特定のユーザと関連させることにより、またデータの形式を一層便利な態様で表すようにすることができる。ユーザが異なると、異なるタイプの情報を有用と判断することがある。例えば、病院の設定では、検査を行う技師は、対象（被検者）の身長、体重、定期的に飲んでいる薬、紹介医師及びその他の情報を知ることを必要とすることがあり、また看護士は、誰が初期診察医師であり、誰が治療医師であり、どんな薬がどんな間隔でどんな服用量で処方されているのか、その患者に割り当てられた他の人がいるのか、患者によってどんな要求がなされているのかを知ることに一層関心を持つことがあり、また他の職員（例えば、事務員及びソーシャル・ワーカー）は、患者の入院期間、患者の連絡情報、患者の連絡先、患者について行われた手続き、及び患者の保険情報を見たいと思うことがある。また、医師Ｘは最初に特定の情報を見るのを好むことがあるのに対し、医師Ｙは最初に他の情報を見るのを好むことがある。
【００２８】
ユーザが異なる場合、情報は異なる書式で表示してよく、特定のユーザにとって（立場によって又は人によって）最も有用な情報を作成することは最初に又はより目立つように行い、他の情報を作成することは後で又は余り目立たないように行う。
【００２９】
ディスプレイはまた、その時々に必要とされるものに応じて異なる時間に異なる情報を表示するように構成してもよい。ユーザにとって異なる時間には異なる情報がより適切であることがある。医師が患者に検査を受けさせた場合、医師の関心は主に検査結果、並びに該検査結果に関係する他の情報及び検査を行う理由であると考えられる。ディスプレイはまた、完了した検査結果やＸ線についての専門家による再検討の様な所与の事象が生じたことを示すために医師が患者記録を読み通すときに「アラーム」を与えることも可能である。看護士にとっては、アラームは、看護士によって管理すべき処方が薬局から既に送られてきているのか、丁度到着したのか、或いは直ぐ後に送られて来るのかを示すことであってよい。アラームは、異なるテキスト・カラーや、可聴信号や、表示装置上のアイコン、点滅表示、点滅光のような視覚的信号や、注意を引くため又は事象の発生を示すために設計された任意の他の態様によるものであってよい。アラームはまた、該アラームに関する情報へのリンクを含んでいてもよい。
【００３０】
表示すべき情報は、関心のある対象１０に関連した情報である。例えば、関心のある対象１０が病院の患者である場合、表示すべき情報は、患者データ、すなわち、病院患者としての患者に関する情報である。患者データの例としては、名前、年齢、身長、体重、症状、病歴、その病歴についての医療記録、保険情報、現来訪時の医療記録、カルテ、診断用画像、波形、検査結果、治療医師、看護士又は看護職員、家庭医、及び実時間患者監視結果（すなわち、例えば心電図や点滴静注のような特定の判定基準を定期的に監視する、進行中の監視又は生起した時の監視）が挙げられる。
【００３１】
観察装置１６は、例えば、パーソナル・ディジタル・アシスタント（ＰＤＡ）、ポケット・パーソナル・コンピュータ（ポケットＰＣ）、タブレット・パーソナル・コンピュータ（タブレットＰＣ）、電話、ページャ、又はその他の適当な装置であってよい。
【００３２】
識別装置１２はまた、耐水性、耐熱性及び対薬品性にして、より長持ちするようにすることができる。識別装置１２は、好ましくは、受動性信号を使用する。受動性信号は電源を必要とすることなく識別装置が使用され得るようにする。受動性信号が使用される場合、無線検出ユニット２０が識別装置１２に問合せをする。無線周波信号を使用する受動性信号は１０ｃｍ〜３ｍの距離にわたって問合せを行うことができる。距離を長くすることは可能であるが、これは距離が長くなればなるほど検出される可能性のある信号の数が多くなるので好ましくない。
【００３３】
図２Ａ〜図２Ｄは観察装置１６の異なる実施形態を示す。また、観察装置１６の様々な機能（検出、制御、識別許可、及び表示）は別々の装置の間に分割することもできる。例えば、図２Ａに示されているように、観察装置１６は、ディスプレイ１８とは別個であり且つディスプレイ１８と無線により交信する無線検出ユニット２０を含んでいてよい。図２Ａに示されているように、ユーザ入力装置２２が無線検出ユニット２０に結合される。ユーザはユーザ入力装置２２を作動して、制御論理装置を催促する。この代わりに、ディスプレイ１８を収容した装置は、制御信号を催促するためにユーザによって作動することのできる制御オプション２４を有している。無線検出ユニット２０は情報供給装置１４と相互作用して、独特な信号を識別すると共に患者１０に関する情報を得る。
【００３４】
図２Ｂに示されているように、ディスプレイを収容した装置はまた、制御論理装置を催促するためにユーザによって作動することのできるユーザ入力装置２２を有している。ディスプレイ１８を収容した装置と無線検出ユニット２０の両方は情報供給装置１４と交信して、信号を識別し且つ情報を得ることができる。
【００３５】
図２Ｃに示されているように、無線検出ユニット２０はまた、観察装置に催促するためにユーザによって作動することのできるユーザ入力装置２２を有している。一旦信号が検出されると、無線検出ユニット２０は信号を識別する。次いで、信号の身元がディスプレイ１８を収容した装置に送られ、該装置は情報を得るために情報供給装置１４と交信する。
【００３６】
図２Ｄに示されているように、無線検出ユニット２０ａは携帯電話である。携帯電話２０ａは、ユーザによる制御作用に応答して識別装置１２からの信号を検出する。この制御作用はキーパッド上のキーを作動するか、又はメニュー・オプションを作動（選択）することであってよい。電話２０ａは、検出された信号を識別するために情報供給装置１４と交信する。ユーザは情報供給装置１４を介してモニタ１８ｂで情報を見ることができる。この代わりに、携帯電話のスクリーン１８ａをディスプレイ１８として作用させることができる。
【００３７】
図３は、ディスプレイ１８がスクリーン１８ａである実施形態を示す。図３はまた、情報供給装置１４をデータ接続部として示す。更に、複数の情報装置１２が複数の関心のある対象１０に関連している。観察装置１６はまたユーザ作動式ユーザ入力装置２２を有している。無線検出ユニット２０は観察装置１６の一体化した一部である。好ましくは、無線検出ユニット２０は観察装置１６に一体化されるカードである。ディスプレイ１８はまた、可聴指示のような非スクリーン型表示装置か、或いはプリンタからの印刷物とすることができる。
【００３８】
図４は、２つ以上の独特な信号識別子に対応するリストを表示するディスプレイ１８を示し、これは２つ以上の信号が検出されたときに好ましい。２つ以上の独特な信号識別子が識別された場合、ディスプレイはどの独特な識別子が識別されたかを表すリストを示すことが好ましい。図４は、関心のある対象が病院患者である病院の設定における一例を示している。患者の名前が列挙されており、そこで、ユーザは検討する特定の患者のデータを選択し得る。好ましくは、患者の名前は最も強い信号から最も弱い信号まで順々に（できれば、最も近い患者から最も遠い患者まで表すように）列挙される。この代わりに、受動型識別装置の場合、患者の名前は、問合せ信号が送られた後に信号を受信した順に（できれば、問合せ後に無線検出ユニットへ信号が戻ってくるのにかかる時間に基づいて最も近い患者から最も遠い患者まで表すように）列挙するのが等しく好ましい。患者はまたベッド番号又は病室番号によって、或いは病院の設定に有用であると思われる何らかの他の識別子によって列挙することもできる。
【００３９】
図５は、表示中の情報の一例を示している。より詳しく述べると、図５は、幾つかの患者データを表示しているディスプレイ１８を示す。ディスプレイ１８はまた、システム制御機能をもたらす制御オプション２４も有している。制御オプション２４は、ディスプレイ上に現れて、システムをユーザが制御できるようにするオプションである。図示の制御オプション２４は「独特な信号を探す」、「メニュー」、及び「その他の情報」である。制御オプション２４の他の例としては、「データを探す」、「電話／ページャ番号を探す」、「スクロール」、「フォントの大きさを小さくする」、「キーボードを表示する」、及び「情報の表示形式を変更する」が挙げられる。
【００４０】
図にはアクティビティ制御部２６も示されている。アクティビティ制御部２６は、ディスプレイ１８以外の場所に現れるコントロールであって、幾つかの作用を制御する。図示のアクティビティ制御部２６は「番号を呼び出す」、「情報を印刷する」、及び「ノートにアクセスする」である。アクティビティ制御部２６は定められた機能を制御することができ、或いは割り当て可能とすることができる。取り得るアクティビティ制御部２６の他の例としては、「独特の信号を探す」、「或るカテゴリの情報にアクセスする」、「専門家を表示する」、「この関心のある対象に関連する他のユーザを表示する」などである。
【００４１】
更に、総称(generic) 制御部２８及びユーザ入力部３０が示されている。総称制御部２８は任意の機能を担うことができ、複数の作用によって使用可能になる傾向がある。例えば、図示の総称制御部２８は、記録をスクロールするか、或いは番号カテゴリの値を変更するかのいずれかに使用される。ユーザ入力部３０はユーザが表示される情報を制御し及び／又は表示される情報にデータを追加することができるようにする。
【００４２】
最後に、対象オプション３２が、図５に表示されたディスプレイ１８上に表示される。対象オプション３２は、ユーザが使用する可能性の多い、関心のある対象に関係するリンクである。ディスプレイ１８上に図示された対象オプション３２は患者オプション、すなわち、患者に関係するオプションである。図示の対象オプション３２は検査を静する指図し、専門家に連絡を取り、薬を処方するためのリンクを含んでいる。他の対象オプション３２が患者ケアの分野外の領域で有用であろう。また、対象オプションはユーザの身元に応じて異なるようにしてもよい。例えば、発送係が「請求書を送る」対象オプション３２を受け取るようにしてもよいし、これに対して看護士が「治療医師をページングする」対象オプション３２を受け取るようにしてもよい。
【００４３】
図６は、本発明の一実施形態による流れ図である。工程１００で、関心のある対象１０に独特な信号識別子を割り当てる。次いで工程１０２で、パスワードのようなユーザについての識別子を要求してもよい。ユーザについて識別子を含めることは、対象が患者である場合、患者情報へのアクセスを制限することによって患者についての秘密保持を高めることができる。次いで工程１０４で、独特な信号を識別して、検出された信号を関心のある対象１０と関連させる。情報の表示を許可する前に、工程１０６でユーザの識別子を要求してもよい。これは、ユーザの識別子を要求する別の時間である。その識別子は最初の識別子と全く同じであってよく、最初の識別子が時間的に接近して入力された場合は満足なものであり、或いはその識別子は別のもので区別可能なものであってよい。また、２つ以上の信号が識別された場合、工程１０８で、ユーザが情報を表示しようと意図した関心のある対象１０をどの信号が表しているかをユーザが選択する必要があるようにしてもよい。２つ以上の関心のある対象１０を選択してもよい。次いで工程１１０で、情報を表示してよい。前にも述べたように、表示のためにアクセス可能である情報は異なるユーザにとって異なるものであってよい。また情報の情報の形式は異なるユーザにとって異なるものであってよい。
【００４４】
パスワード以外の工程１０２及び１０６でのユーザ識別子の例としては、スマート・カードの使用、ユーザに関連した信号、磁気結合、又はその他の識別装置又は技術が挙げられる。
【００４５】
図７は、本発明の別の実施形態による別の流れ図である。工程１００で、関心のある対象１０に独特な信号識別子を割り当てる。次いで工程１０４で、独特な信号を識別して、検出された信号を関心のある対象１０と関連させる。一旦信号が識別された場合、識別された信号を工程１１２で使用する。識別された信号の可能性のある使用法としては、患者についての患者情報を供給すること、患者に対して行われた検査を補正すること、検査を行うこと又はその結果を計算することを必要とされた患者について検査情報を使用すること、及び特定の患者に監視ユニットを割り当てること、が挙げられる。
【００４６】
識別装置１２の信号は任意の無線技術を使用することができるが、識別のために無線周波（ＲＦ）信号、例えば、受動性ＲＦ識別信号を使用することが好ましい。より好ましくは、ブルートゥース（Ｂｌｕｅｔｈｏｏｔｈ）技術を使用する。商標ＢｌｕｅｔｈｏｏｔｈはＢｌｕｅｔｈｏｏｔｈ  ＳＩＧ，ＩＮＣ．によって所有されている商標である。ブルートゥース無線技術は、無線接続を提供し、移動式コンピュータや移動式電話や携帯手持ち式装置の間での結合を可能にし、またインターネットへの接続を提供する。ブルートゥース無線技術は、電力消費を低くし且つコストを下げるのに役立つ。
【００４７】
ブルートゥース無線仕様は製品開発者用のリンク層及びアプリケーション層の両方の定義を含み、データ、音声及びコンテンツ中心のアプリケーションをサポートする。ブルートゥース無線仕様に従うラジオは無許可の２．４ＧＨｚのＩＳＭ（産業、科学及び医学用）帯域ラジオ・スペクトルで動作する。これらのラジオは拡散スペクトル、周波数ホッピング（ｈｏｐｐｉｎｇ）、全二重信号を最大１６００ホップ数／秒で使用する。信号は１ＭＨｚ間隔で７９個の周波数の間をホップして、高度の干渉不感受性を与える。ブルートゥースの同期帯域は比較的高品質の音声を運ぶように調製され、他方、非同期通信は７００Ｋｂｐｓよりも僅かに高い速度でデータをサポートする。
【００４８】
標準的な装置についての距離は約１０メートルに制限されるが、希望により（１００メートルのような）より大幅に長い距離まで拡張することができる。一旦装置が距離境界内にあると、装置は自動的に接続することができる。また、装置が視線内に無いときでも音声及びデータの高速で確実な伝送が得られる。
【００４９】
最新のエラー訂正方法、暗号化及び認証ルーチンを使用して、ユーザのプライバシーのためにデータを保護する。更に、本技術により高い伝送レートが得られる。ブルートゥース無線技術は、ポイント・ツー・ポイント接続及びポイント・ツー・マルチポイント接続の両方をサポートする。ブルートゥース無線プロトコルが現在好ましいものであっても、他の無線システム及び技術をまた用いてもよい。
【００５０】
また、識別子は、信号を発生しない識別装置から無線で電子的に検出することができる。例えば、識別子は、赤外線やその他の技術を使用して検出器によって検出されるバーコードを使用してもよい。
【００５１】
独特な信号が使用される場合、独特な信号は独特な波長とするか、独特な基準を使用するか、或いは信号を使用する他の無線識別方法を使用することができるが、無線信号に結合された独特なコードを持つ手段とするのが好ましい。独特な識別子は各々の装置について一貫した識別子とすることができ、或いは、独特な識別子は異なるユーザが一装置を有しているときに独特な信号を変更できるように、変更可能とすることができる。
【００５２】
本識別システムは患者情報を表示するためにだけ使用されるものではない。ヘルスケア施設においては、識別システムは他の目的のために患者を識別するように使用することができる。例えば、本システムは、患者を識別し、次いで患者を監視又は検査結果に相関させるために使用することができる。本システムはまた、ヘルスケア設定において患者識別が必要とされる多数のやり方で患者を識別するために使用することもできる。
【００５３】
本システムはまた、ベッドサイド・モニタ又はその他の設備機器のような他のヘルスケア施設の物品を識別するために使用することもできる。次いで、装置の識別は患者、部屋、部所、又は他のグループに関連させることができる。
【００５４】
以上、種々の特定の且つ例示した実施形態及び技術に関して本発明を説明した。しかしながら、本発明の精神及び範囲内にある限り様々な変形及び修正をなし得ることを理解されたい。説明の大半を病院又は他のヘルスケア施設に関して行ったが、本発明の他の使用法も可能である。
【図面の簡単な説明】
【００５５】
【図１】情報の供給が無線による場合に本発明の一実施形態に従って患者情報を効果的に且つ確実に見て更新する際に使用するためのシステムの構造を示す概要図である。
【図２Ａ】検出装置が２つの部分から成る場合の本発明の実施形態である他のシステムを示す概要図である。
【図２Ｂ】検出装置が２つの部分から成る場合の本発明の実施形態である他のシステムを示す概要図である。
【図２Ｃ】検出装置が２つの部分から成る場合の本発明の実施形態である他のシステムを示す概要図である。
【図２Ｄ】検出装置が２つの部分から成る場合の本発明の実施形態である他のシステムを示す概要図である。
【図３】ディスプレイをスクリーンとすることができ、接続がデータ接続であり、情報装置が関心のある対象に縛り付けられていず、且つ監視ユニットがディスプレイを収容するユニットと一体である場合の、本発明の一実施形態に従ったシステムの構造を示す概要図である。
【図４】２つ以上の信号が検出されたときに情報をディスプレイ上に一覧表示する一方法を例示する略図である。
【図５】患者に関係する情報の１つの取りうるディスプレイを例示すると共に、本発明の一実施形態に採用することのできる様々な制御部の幾つかを例示する略図である。
【図６】本発明の一実施形態に従って関心のある対象についての情報を更新するためのシステムの動作を示す流れ図である。
【図７】本発明の別の実施形態に従って無線により得られた患者識別子を使用するシステムの動作を示す流れ図である。
【符号の説明】
【００５６】
１０  関心のある対象
１２  識別装置
１４  情報供給装置
１６  観察装置
１８  ディスプレイ
２０  無線検出ユニット
２２  ユーザ入力装置
２４  制御オプション
２６  アクティビティ制御部
２８  総称制御部
３０  ユーザ入力
３２  対象オプション
【図１】
2004178599.tif 000003
【図２Ａ】
2004178599.tif 000004
【図２Ｂ】
2004178599.tif 000005
【図２Ｃ】
2004178599.tif 000006
【図２Ｄ】
2004178599.tif 000007
【図３】
2004178599.tif 000008
【図４】
2004178599.tif 000009
【図５】
2004178599.tif 000010
【図６】
2004178599.tif 000011
【図７】
2004178599.tif 000012